(57)【要約】【課題】当該信号レベル調整装置の故障の有無を簡易に調べることが可能となる、信号レベル調整装置、及び信号レベル調整システムを提供すること。【解決手段】信号レベル調整装置１は、受信アンテナ２０と、受信アンテナ２０にて受信された放送用信号の信号レベルを調整する波形整形部３０ａ及び増幅部３０ｂと、波形整形部３０ａ及び増幅部３０ｂにて調整された放送用信号を送信する送信アンテナ２１と、第１の表示部３３と、第２の表示部３４と、波形整形部３０ａにおける放送用信号の入力レベルを検出する第１の検出部３１と、増幅部３０ｂにおける放送用信号の出力レベルを検出する第２の検出部３２と、第１の表示部３３によって、第１の検出部３１にて検出された上記放送用信号の入力レベルに対応する情報を表示させると共に、第２の表示部３４によって、第２の検出部３２にて検出された上記放送用信号の出力レベルに対応する情報を表示させる表示制御部３５ａとを備えている。【選択図】図２
2014039230.tif 000002
【特許請求の範囲】
【請求項１】
放送局から送信される放送用信号の信号レベルを調整する信号レベル調整装置であって、
前記放送局から送信された前記放送用信号を受信する受信手段と、
前記受信手段にて受信された前記放送用信号の信号レベルを調整する信号レベル調整手段と、
前記信号レベル調整手段にて調整された前記放送用信号を送信する送信手段と、
第１の表示手段と、
第２の表示手段と、
前記信号レベル調整手段における前記放送用信号の入力状態を検出する第１の検出手段と、
前記信号レベル調整手段における前記放送用信号の出力状態を検出する第２の検出手段と、
前記第１の表示手段によって、前記第１の検出手段にて検出された前記信号レベル調整手段における前記放送用信号の入力状態に対応する情報を表示させると共に、前記第２の表示手段によって、前記第２の検出手段にて検出された前記信号レベル調整手段における前記放送用信号の出力状態に対応する情報を表示させる表示制御手段と、
を備える信号レベル調整装置。
【請求項２】
前記信号レベル調整手段は、
前記受信手段にて受信された前記放送用信号の波形整形を行う波形整形手段と、
前記波形整形手段にて波形整形された前記放送用信号を増幅する増幅手段と、を備え、
前記第１の検出手段は、
前記波形整形手段における前記放送用信号の入力状態を検出し、
前記第２の検出手段は、
前記増幅手段における前記放送用信号の出力状態を検出し、
前記表示制御手段は、
前記第１の表示手段によって、前記第１の検出手段にて検出された前記波形整形手段における前記放送用信号の入力状態に対応する情報を表示させると共に、前記第２の表示手段によって、前記第２の検出手段にて検出された前記増幅手段における前記放送用信号の出力状態に対応する情報を表示させる、
請求項１に記載の信号レベル調整装置。
【請求項３】
前記表示制御手段は、
前記第１の検出手段にて検出された前記信号レベル調整手段における前記放送用信号の入力レベルに対応する色で前記第１の表示手段を点灯又は点滅させると共に、前記第２の検出手段にて検出された前記信号レベル調整手段における前記放送用信号の出力レベルに対応する色で前記第２の表示手段を点灯又は点滅させる、
請求項１又は２に記載の信号レベル調整装置。
【請求項４】
放送局から送信される放送用信号の信号レベルを調整する第１の信号レベル調整装置と、第１の信号レベル調整装置から光伝送線路を介して送信された放送用信号の信号レベルを調整する第２の信号レベル調整装置とを備える信号レベル調整システムであって、
前記第１の信号レベル調整装置は、
前記放送局から送信された前記放送用信号を受信する受信手段と、
前記受信手段にて受信された前記放送用信号の信号レベルを調整する第１の信号レベル調整手段と、
前記第１の信号レベル調整手段にて調整された前記放送用信号を、電気信号から光信号に電光変換する電光変換手段と、
第１の表示手段と、
第２の表示手段と、
前記第１の信号レベル調整手段における前記放送用信号の入力状態を検出する第１の検出手段と、
前記電光変換手段における前記放送用信号の入力状態又は出力状態を検出する第２の検出手段と、
前記第１の表示手段、及び第２の表示手段における情報の表示を制御する第１の表示制御手段と、を備え、
前記第２の信号レベル調整装置は、
前記電光変換手段から前記光伝送線路を介して送信された前記放送用信号を、光信号から電気信号に光電変換する光電変換手段と、
前記光電変換手段にて光電変換された前記放送用信号の信号レベルを調整する第２の信号レベル調整手段と、
前記第２の信号レベル調整手段にて調整された前記放送用信号を送信する送信手段と、
第３の表示手段と、
第４の表示手段と、
前記光電変換手段における前記放送用信号の入力状態又は出力状態を検出する第３の検出手段と、
前記第２の信号レベル調整手段における前記放送用信号の出力状態を検出する第４の検出手段と、
前記第３の表示手段、及び第４の表示手段における情報の表示を制御する第２の表示制御手段と、を備え、
前記第１の表示制御手段は、
前記第１の表示手段によって、前記第１の検出手段にて検出された前記第１の信号レベル調整手段における前記放送用信号の入力状態に対応する情報を表示させると共に、前記第２の表示手段によって、前記第２の検出手段にて検出された前記電光変換手段における前記放送用信号の入力状態又は出力状態に対応する情報を表示させ、
前記第２の表示制御手段は、
前記第３の表示手段によって、前記第３の検出手段にて検出された前記光電変換手段における前記放送用信号の入力状態又は出力状態に対応する情報を表示させると共に、前記第４の表示手段によって、前記第４の検出手段にて検出された前記第２の信号レベル調整手段における前記放送用信号の出力状態に対応する情報を表示させる、
信号レベル調整システム。
【請求項５】
前記第１の信号レベル調整手段は、
前記受信手段にて受信された前記放送用信号の波形整形を行う波形整形手段を備え、
前記第２の信号レベル調整手段は、
前記光電変換手段にて光電変換された前記放送用信号を増幅する増幅手段を備え、
前記第１の検出手段は、
前記波形整形手段における前記放送用信号の入力状態を検出し、
前記第２の検出手段は、
前記電光変換手段における前記放送用信号の入力状態を検出し、
前記第３の検出手段は、
前記光電変換手段における前記放送用信号の出力状態を検出し、
前記第４の検出手段は、
前記増幅手段における前記放送用信号の出力状態を検出し、
前記第１の表示制御手段は、
前記第１の表示手段によって、前記第１の検出手段にて検出された前記波形整形手段における前記放送用信号の入力状態に対応する情報を表示させると共に、前記第２の表示手段によって、前記第２の検出手段にて検出された前記電光変換手段における前記放送用信号の入力状態に対応する情報を表示させ、
前記第２の表示制御手段は、
前記第３の表示手段によって、前記第３の検出手段にて検出された前記光電変換手段における前記放送用信号の出力状態に対応する情報を表示させると共に、前記第４の表示手段によって、前記第４の検出手段にて検出された前記増幅手段における前記放送用信号の出力状態に対応する情報を表示させる、
請求項４に記載の信号レベル調整システム。
【請求項６】
前記電光変換手段は、
前記第２の検出手段から送信された前記電光変換手段における前記放送用信号の入力状態に対応する情報を含む信号を、電気信号から光信号に電光変換し、
前記光電変換手段は、
前記電光変換手段から前記光伝送線路、又は前記光伝送線路とは異なる光伝送線路を介して送信された前記電光変換手段における前記放送用信号の入力状態に対応する情報を含む信号を、光信号から電気信号に光電変換し、
前記第２の表示制御手段は、
前記第２の信号レベル調整装置の所定の表示手段によって、前記光電変換手段にて光電変換された前記電光変換手段における前記放送用信号の入力状態に対応する情報を含む信号に基づいて、前記電光変換手段における前記放送用信号の入力状態に対応する情報を表示させる、
請求項５に記載の信号レベル調整システム。
【発明の詳細な説明】
【技術分野】
【０００１】
本発明は、信号レベル調整装置、及び信号レベル調整システムに関する。
【背景技術】
【０００２】
地上デジタルテレビ放送をビル陰、山間部、地下空間や建物内部で視聴可能とするための信号レベル調整装置が普及している。この信号レベル調整装置は、電柱等の比較的高い場所に設置されており、概略的には、放送局から放送用信号を受信する受信アンテナと、受信アンテナにて受信された放送用信号の信号レベルを一定値に調整する調整ユニットと、調整ユニットにて調整された放送用信号を送信する送信アンテナとを備えている。このような構成により、放送局から送信された放送用信号を一旦受信して、この放送用信号に対して所要の調整を行った後、視聴対象空間に向けて放送用信号を再送信することができる（例えば、特許文献１参照）。
【先行技術文献】
【特許文献】
【０００３】
【特許文献１】特開２０１０−２５１８４５号公報
【発明の概要】
【発明が解決しようとする課題】
【０００４】
ここで、ユーザ側においてテレビ視聴ができない場合には、この信号レベル調整装置の故障の有無を調べる必要があった。しかしながら、上述の如き従来の装置は、電柱等の比較的高い場所に設置されているため、例えば、作業者は高所作業車を用いて作業したり、当該装置に別途用意した測定器を接続して所定の計測をしなければならないので、当該装置の故障の有無を調べる作業が煩雑となっていた。
【０００５】
本発明は、上記に鑑みてなされたものであって、当該信号レベル調整装置の故障の有無を簡易に調べることが可能となる、信号レベル調整装置、及び信号レベル調整システムを提供することを目的とする。
【課題を解決するための手段】
【０００６】
上述した課題を解決し、目的を達成するために、請求項１に記載の信号レベル調整装置は、放送局から送信される放送用信号の信号レベルを調整する信号レベル調整装置であって、前記放送局から送信された前記放送用信号を受信する受信手段と、前記受信手段にて受信された前記放送用信号の信号レベルを調整する信号レベル調整手段と、前記信号レベル調整手段にて調整された前記放送用信号を送信する送信手段と、第１の表示手段と、第２の表示手段と、前記信号レベル調整手段における前記放送用信号の入力状態を検出する第１の検出手段と、前記信号レベル調整手段における前記放送用信号の出力状態を検出する第２の検出手段と、前記第１の表示手段によって、前記第１の検出手段にて検出された前記信号レベル調整手段における前記放送用信号の入力状態に対応する情報を表示させると共に、前記第２の表示手段によって、前記第２の検出手段にて検出された前記信号レベル調整手段における前記放送用信号の出力状態に対応する情報を表示させる表示制御手段とを備えている。
【０００７】
また、請求項２に記載の信号レベル調整装置は、請求項１に記載の信号レベル調整装置において、前記信号レベル調整手段は、前記受信手段にて受信された前記放送用信号の波形整形を行う波形整形手段と、前記波形整形手段にて波形整形された前記放送用信号を増幅する増幅手段と、を備え、前記第１の検出手段は、前記波形整形手段における前記放送用信号の入力状態を検出し、前記第２の検出手段は、前記増幅手段における前記放送用信号の出力状態を検出し、前記表示制御手段は、前記第１の表示手段によって、前記第１の検出手段にて検出された前記波形整形手段における前記放送用信号の入力状態に対応する情報を表示させると共に、前記第２の表示手段によって、前記第２の検出手段にて検出された前記増幅手段における前記放送用信号の出力状態に対応する情報を表示させる。
【０００８】
また、請求項３に記載の信号レベル調整装置は、請求項１又は２に記載の信号レベル調整装置において、前記表示制御手段は、前記第１の検出手段にて検出された前記信号レベル調整手段における前記放送用信号の入力レベルに対応する色で前記第１の表示手段を点灯又は点滅させると共に、前記第２の検出手段にて検出された前記信号レベル調整手段における前記放送用信号の出力レベルに対応する色で前記第２の表示手段を点灯又は点滅させる。
【０００９】
また、請求項４に記載の信号レベル調整システムは、放送局から送信される放送用信号の信号レベルを調整する第１の信号レベル調整装置と、第１の信号レベル調整装置から光伝送線路を介して送信された放送用信号の信号レベルを調整する第２の信号レベル調整装置とを備える信号レベル調整システムであって、前記第１の信号レベル調整装置は、前記放送局から送信された前記放送用信号を受信する受信手段と、前記受信手段にて受信された前記放送用信号の信号レベルを調整する第１の信号レベル調整手段と、前記第１の信号レベル調整手段にて調整された前記放送用信号を、電気信号から光信号に電光変換する電光変換手段と、第１の表示手段と、第２の表示手段と、前記第１の信号レベル調整手段における前記放送用信号の入力状態を検出する第１の検出手段と、前記電光変換手段における前記放送用信号の入力状態又は出力状態を検出する第２の検出手段と、前記第１の表示手段、及び第２の表示手段における情報の表示を制御する第１の表示制御手段と、を備え、前記第２の信号レベル調整装置は、前記電光変換手段から前記光伝送線路を介して送信された前記放送用信号を、光信号から電気信号に光電変換する光電変換手段と、前記光電変換手段にて光電変換された前記放送用信号の信号レベルを調整する第２の信号レベル調整手段と、前記第２の信号レベル調整手段にて調整された前記放送用信号を送信する送信手段と、第３の表示手段と、第４の表示手段と、前記光電変換手段における前記放送用信号の入力状態又は出力状態を検出する第３の検出手段と、前記第２の信号レベル調整手段における前記放送用信号の出力状態を検出する第４の検出手段と、前記第３の表示手段、及び第４の表示手段における情報の表示を制御する第２の表示制御手段と、を備え、前記第１の表示制御手段は、前記第１の表示手段によって、前記第１の検出手段にて検出された前記第１の信号レベル調整手段における前記放送用信号の入力状態に対応する情報を表示させると共に、前記第２の表示手段によって、前記第２の検出手段にて検出された前記電光変換手段における前記放送用信号の入力状態又は出力状態に対応する情報を表示させ、前記第２の表示制御手段は、前記第３の表示手段によって、前記第３の検出手段にて検出された前記光電変換手段における前記放送用信号の入力状態又は出力状態に対応する情報を表示させると共に、前記第４の表示手段によって、前記第４の検出手段にて検出された前記第２の信号レベル調整手段における前記放送用信号の出力状態に対応する情報を表示させる。
【００１０】
また、請求項５に記載の信号レベル調整システムは、請求項４に記載の信号レベル調整システムにおいて、前記第１の信号レベル調整手段は、前記受信手段にて受信された前記放送用信号の波形整形を行う波形整形手段を備え、前記第２の信号レベル調整手段は、前記光電変換手段にて光電変換された前記放送用信号を増幅する増幅手段を備え、前記第１の検出手段は、前記波形整形手段における前記放送用信号の入力状態を検出し、前記第２の検出手段は、前記電光変換手段における前記放送用信号の入力状態を検出し、前記第３の検出手段は、前記光電変換手段における前記放送用信号の出力状態を検出し、前記第４の検出手段は、前記増幅手段における前記放送用信号の出力状態を検出し、前記第１の表示制御手段は、前記第１の表示手段によって、前記第１の検出手段にて検出された前記波形整形手段における前記放送用信号の入力状態に対応する情報を表示させると共に、前記第２の表示手段によって、前記第２の検出手段にて検出された前記電光変換手段における前記放送用信号の入力状態に対応する情報を表示させ、前記第２の表示制御手段は、前記第３の表示手段によって、前記第３の検出手段にて検出された前記光電変換手段における前記放送用信号の出力状態に対応する情報を表示させると共に、前記第４の表示手段によって、前記第４の検出手段にて検出された前記増幅手段における前記放送用信号の出力状態に対応する情報を表示させる。
【００１１】
また、請求項６に記載の信号レベル調整システムは、請求項５に記載の信号レベル調整システムにおいて、前記電光変換手段は、前記第２の検出手段から送信された前記電光変換手段における前記放送用信号の入力状態に対応する情報を含む信号を、電気信号から光信号に電光変換し、前記光電変換手段は、前記電光変換手段から前記光伝送線路、又は前記光伝送線路とは異なる光伝送線路を介して送信された前記電光変換手段における前記放送用信号の入力状態に対応する情報を含む信号を、光信号から電気信号に光電変換し、前記第２の表示制御手段は、前記第２の信号レベル調整装置の所定の表示手段によって、前記光電変換手段にて光電変換された前記電光変換手段における前記放送用信号の入力状態に対応する情報を含む信号に基づいて、前記電光変換手段における前記放送用信号の入力状態に対応する情報を表示させる。
【発明の効果】
【００１２】
請求項１に記載の信号レベル調整装置によれば、表示制御手段は、第１の表示手段によって、第１の検出手段にて検出された信号レベル調整手段における放送用信号の入力状態に対応する情報を表示させると共に、第２の表示手段によって、第２の検出手段にて検出された信号レベル調整手段における放送用信号の出力状態に対応する情報を表示させるので、作業者は、別途測定器等を用意することなく、第１の表示手段及び第２の表示手段を介して信号レベル調整手段における放送用信号の入出力状態を容易に確認することができ、信号レベル調整装置の故障の有無を簡易に調べることができる。また、作業者は、第１の表示手段及び第２の表示手段の表示パターンに基づいて、信号レベル調整装置の状態を詳細に把握することができ、信号レベル調整装置の故障箇所を迅速且つ正確に見つけることができる。
【００１３】
また、請求項２に記載の信号レベル調整装置によれば、表示制御手段は、第１の表示手段によって、第１の検出手段にて検出された波形整形手段における放送用信号の入力状態に対応する情報を表示させると共に、第２の表示手段によって、第２の検出手段にて検出された増幅手段における放送用信号の出力状態に対応する情報を表示させるので、作業者は、第１の表示手段及び第２の表示手段を介して容易に波形整形手段における放送用信号の入力状態、及び増幅手段における放送用信号の出力状態を容易に確認することができ、波形整形手段及び増幅手段の故障の有無を簡易に調べることができる。
【００１４】
また、請求項３に記載の信号レベル調整装置によれば、表示制御手段は、第１の検出手段にて検出された信号レベル調整手段における放送用信号の入力レベルに対応する色で第１の表示手段を点灯又は点滅させると共に、第２の検出手段にて検出された信号レベル調整手段における放送用信号の出力レベルに対応する色で第２の表示手段を点灯又は点滅させるので、作業者は、第１の表示手段の色及び第２の表示手段の色を介して容易に波形整形手段における放送用信号の入力レベル及び増幅手段における放送用信号の出力レベルを容易に確認することができる。
【００１５】
また、請求項４に記載の信号レベル調整システムによれば、前記第１の表示制御手段は、第１の表示手段によって、第１の検出手段にて検出された第１の信号レベル調整手段における放送用信号の入力状態に対応する情報を表示させると共に、第２の表示手段によって、第２の検出手段にて検出された電光変換手段における放送用信号の入力状態又は出力状態に対応する情報を表示させ、第２の表示制御手段は、第３の表示手段によって、第３の検出手段にて検出された光電変換手段における放送用信号の入力状態又は出力状態に対応する情報を表示させると共に、第４の表示手段によって、第４の検出手段にて検出された第２の信号レベル調整手段における放送用信号の出力状態に対応する情報を表示させるので、作業者は、別途測定器等を用意することなく、第１の表示手段〜第４の表示手段を介して第１の信号レベル調整手段における放送用信号の入出力状態、及び第２の信号レベル調整手段における放送用信号の入出力状態を容易に確認することができ、第１の信号レベル調整装置、及び第２の信号レベル調整装置の故障の有無を簡易に調べることができる。また、作業者は、第１の表示手段〜第４の表示手段の表示パターンに基づいて、作業者は第１の信号レベル調整装置の状態、及び第２の信号レベル調整装置の状態を詳細に把握することができ、例えば、第１の信号レベル調整装置、及び第２の信号レベル調整装置の故障箇所を迅速且つ正確に見つけることができる。
【００１６】
また、請求項５に記載の信号レベル調整システムによれば、第１の表示制御手段は、第１の表示手段によって、第１の検出手段にて検出された波形整形手段における放送用信号の入力状態に対応する情報を表示させると共に、第２の表示手段によって、第２の検出手段にて検出された電光変換手段における放送用信号の入力状態に対応する情報を表示させ、第２の表示制御手段は、第３の表示手段によって、第３の検出手段にて検出された光電変換手段における放送用信号の出力状態に対応する情報を表示させると共に、第４の表示手段によって、第４の検出手段にて検出された増幅手段における放送用信号の出力状態に対応する情報を表示させるので、作業者は、第１の表示手段〜第４の表示手段を介して波形整形手段における放送用信号の入力状態、電光変換手段における放送用信号の入力状態、光電変換手段における放送用信号の出力状態、及び増幅手段における放送用信号の出力状態を容易に確認することができ、波形整形手段、電光変換手段、光電変換手段、及び増幅手段の故障の有無を簡易に調べることができる。
【００１７】
また、請求項６に記載の信号レベル調整システムによれば、第２の表示制御手段は、第２の信号レベル調整装置の所定の表示手段によって、光電変換手段にて光電変換された電光変換手段における放送用信号の入力状態に対応する情報を含む信号に基づいて、電光変換手段における放送用信号の入力状態に対応する情報を表示させるので、第１の信号レベル調整装置と第２の信号レベル調整装置との距離が離れている場合であっても、第２の信号レベル調整装置側にいる作業者は、電光変換手段における電気信号の入力状態を容易に確認することができる。これにより、例えば、第２の信号レベル調整装置側にいる作業者は、光電変換手段における放送用信号の出力状態、増幅手段における放送用信号の出力状態、及び電光変換手段における電気信号の入力状態に基づいて、第１の信号レベル調整装置及び第２の信号レベル調整装置の故障の有無を正確に判断することができ、第１の信号レベル調整装置の設置場所に行って、当該装置の故障の有無を調べる手間を省くことができる。
【図面の簡単な説明】
【００１８】
【図１】実施の形態１に係る信号レベル調整装置を示す図であり、（ａ）は正面図、（ｂ）は底面図である。
【図２】図１の信号レベル調整装置の電気的構成を機能概念的に示したブロック図である。
【図３】実施の形態１に係る信号レベル調整装置が実行する処理のフローチャートである。
【図４】各表示部の表示パターンと、信号レベル調整装置の状態との関係を例示した図である。
【図５】実施の形態２に係る信号レベル調整システムを示す図であり、（ａ）は正面図、（ｂ）は底面図である。
【図６】図５の信号レベル調整システムの構成を示すブロック図である。
【図７】実施の形態２に係る第１の信号レベル調整装置が実行する処理のフローチャートである。
【図８】実施の形態２に係る第２の信号レベル調整装置が実行する処理のフローチャートである。
【図９】各表示部の表示パターンと、第１の信号レベル調整装置及び第２の信号レベル調整装置の状態との関係を例示した図である。
【図１０】実施の形態３に係る信号レベル調整システムの構成を示すブロック図である。
【図１１】実施の形態３に係る第２の信号レベル調整装置が実行する処理のフローチャートである。
【発明を実施するための形態】
【００１９】
以下に添付図面を参照して、この発明に係る信号レベル調整装置、及び信号レベル調整システムに係る各実施の形態を詳細に説明する。最初に、信号レベル調整装置、及び信号レベル調整システムの構成を説明し、次に、この信号レベル調整装置、及び信号レベル調整システムが実行する処理について説明し、最後に各実施の形態に対する変形例について説明する。ただし、これら各実施の形態によって本発明が限定されるものではない。ここで、信号レベル調整装置、及び信号レベル調整システムは、ＴＶ放送の放送システムにおいて、放送電波を入力信号として受信し、これに信号レベル調整を含む所定の処理を施して出力信号を生成する機能を備えるものであり、例えば、ギャップフィラー、ギャップフィラーシステム、又はチャンネルレベルコントローラ等が該当する。また、各実施の形態に係る信号レベル調整装置、及び信号レベル調整システムが設置される場所は任意であり、この信号レベル調整装置、及び信号レベル調整システムを、商業ビル又はマンション等の比較的高さのある建屋、電柱、又は鉄塔等に設置することができるが、以下では、電柱に設置された信号レベル調整装置、及び信号レベル調整システムに適用した場合を例として説明を行う。
【００２０】
〔実施の形態１〕
最初に、実施の形態１について説明する。この形態は、波形整形手段における放送用信号の入力状態に対応する情報を表示すると共に、増幅手段における放送用信号の出力状態に対応する情報を表示する形態である。
【００２１】
（構成）
まず、信号レベル調整装置の構成について説明する。図１は、実施の形態１に係る信号レベル調整装置を示す図であり、（ａ）は正面図、（ｂ）は底面図である。図２は、図１の信号レベル調整装置の電気的構成を機能概念的に示したブロック図である。なお、以下の説明においては、図１のＸ方向を左右方向、図１のＹ方向を上下方向、図１のＺ方向を前後方向とする。
【００２２】
信号レベル調整装置１は、図１（ａ）、（ｂ）に示す筐体１０の外部において、電柱（図示省略）に取り付けられたワイヤ２５に懸架されており、図２に示す受信アンテナ２０と同軸ケーブル２０ａを介して接続されていると共に、送信アンテナ２１と同軸ケーブル２１ａを介して接続されている。また、信号レベル調整装置１は、筐体１０の底面において、当該筐体１０の外部から露出された状態で設けられた第１の表示部３３及び第２の表示部３４を備えている。また、信号レベル調整装置１は、図１（ａ）、（ｂ）に示す筐体１０の内部において、図２に示す信号レベル調整部３０と、第１の検出部３１と、第２の検出部３２と、制御部３５とを備えている。
【００２３】
（構成−筐体）
筐体１０は、信号レベル調整装置１の構造体であり、信号レベル調整部３０、第１の検出部３１、第２の検出部３２、第１の表示部３３、第２の表示部３４、及び制御部３５を外部から保護する保護手段である。この筐体１０は、図１（ａ）、（ｂ）に示すように、一側面を開放した略箱形状のベース部１１と、このベース部１１をその開放面側から略覆うカバー部１２とを備えて構成されており、カバー部１２はその上端部近傍位置においてベース部１１に対して回動自在に軸支されている。
【００２４】
また、ベース部１１には、開口１１ａ、１１ｂ、１１ｃ、１１ｄと、懸架部（図示省略）とが設けられている。開口１１ａは、筐体１０の内部に設けられた入力端子（図示省略）に同軸ケーブル２０ａを接続するために、筐体１０の外部から同軸ケーブル２０ａを引き込むための開口である。開口１１ｂは、筐体１０の内部に設けられた出力端子（図示省略）に同軸ケーブル２１ａを接続するために、筐体１０の外部から同軸ケーブル２１ａを引き込むための開口である。開口１１ｃは、第１の表示部３３を筐体１０の外部に露出させるための開口である。開口１１ｄは、第２の表示部３４を筐体１０の外部に露出させるための開口である。懸架部は、筐体１０をワイヤ２５に懸架するための懸架手段であり、筐体１０の上端部に配置されている。
【００２５】
（構成−信号レベル調整部）
信号レベル調整部３０は、受信アンテナ２０にて受信された放送用信号（具体的には、受信アンテナ２０にて放送局から所定周波数（例えば、４７０〜７１０ＭＨｚの周波数帯域内の周波数等）で無線受信された放送用信号）の信号レベルを調整する信号レベル調整手段であり、波形整形部３０ａと、増幅部３０ｂとを備えている。
【００２６】
波形整形部３０ａは、受信アンテナ２０にて受信された放送用信号の波形整形を行う波形整形手段である。具体的には、図２に示すように、波形整形部３０ａは、受信アンテナ２０から同軸ケーブル２０ａを介して出力された放送用信号を波形整形し、当該波形整形した放送用信号を増幅部３０ｂに出力する。また、この波形整形部３０ａとしては、例えば、公知の波形整形器を用いることができる。
【００２７】
増幅部３０ｂは、波形整形部３０ａにて波形整形された放送用信号を増幅する増幅手段である。具体的には、図２に示すように、増幅部３０ｂは、波形整形部３０ａから出力された放送用信号を増幅し、当該増幅した放送用信号を同軸ケーブル２１ａを介して送信アンテナ２１に出力する。また、この増幅部３０ｂとしては、例えば公知のＰＡ（Ｐｏｗｅｒ  Ａｍｐ）を用いることができる。
【００２８】
（構成−第１の検出部）
第１の検出部３１は、波形整形部３０ａにおける放送用信号の入力状態を検出する第１の検出手段である。ここで、「放送用信号の入力状態」とは、放送用信号のレベル等を含む概念であるが、実施の形態１では、放送用信号のレベルについて説明する（後述する「放送用信号の出力状態」についても同様とする）。具体的には、図２に示すように、第１の検出部３１は、波形整形部３０ａに接続されており、波形整形部３０ａにおける放送用信号の入力レベルに対応する情報を、制御部３５に出力する。また、この第１の検出部３１としては、例えば公知の検波器を用いることができる（第２の検出部３２も同様とする）。
【００２９】
（構成−第２の検出部）
第２の検出部３２は、増幅部３０ｂにおける放送用信号の出力状態を検出する第２の検出手段である。具体的には、図２に示すように、第２の検出部３２は、増幅部３０ｂに接続されており、増幅部３０ｂにおける放送用信号の出力レベルに対応する情報を、制御部３５に出力する。
【００３０】
（構成−第１の表示部）
第１の表示部３３は、第１の検出部３１の検出結果に関する情報を表示する第１の表示手段である。
【００３１】
（構成−第２の表示部）
第２の表示部３４は、第２の検出部３２の検出結果に関する情報を表示する第２の表示手段である。
【００３２】
（構成−制御部）
制御部３５は、信号レベル調整装置１の各部を制御する制御手段であり、具体的には、ＣＰＵ（又は専用回路）、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。
【００３３】
この制御部３５は、機能概念的に、表示制御部３５ａを備えている。表示制御部３５ａは、第１の表示部３３、及び第２の表示部３４における情報の表示を制御する表示制御手段である。なお、この制御部３５の各構成要素によって実行される処理の詳細については後述する。
【００３４】
（処理）
次に、上述のように構成された信号レベル調整装置１が実行する処理について説明する。図３は、実施の形態１に係る信号レベル調整装置１が実行する処理のフローチャートである（以下の各処理の説明ではステップを「Ｓ」と略記する）。この処理は、例えば、信号レベル調整装置１に電源が投入された場合に起動される。
【００３５】
図３に示すように、制御部３５は、所定のタイミングが到来したか否かを判定する（ＳＡ１）。具体的には、信号レベル調整装置１に電源が投入された後に所定の時間（例えば、１ｓｅｃ毎等）が経過した場合（あるいは、信号レベル調整装置１に電源が投入された後に最初に当該判定を行う場合や、公知の操作手段（図示省略）を介して光信号の受信レベルを表示させる旨の指示入力が行われた場合）、所定のタイミングが到来したと判定される。一方、所定の時間が経過していない場合、所定のタイミングが到来していないと判定される。
【００３６】
ここで、上記所定のタイミングが到来したと判定された場合（ＳＡ１、Ｙｅｓ）、制御部３５は、第１の検出部３１にて検出された波形整形部３０ａにおける放送用信号の入力レベルに対応する情報を取得すると共に（ＳＡ２）、第２の検出部３２にて検出された増幅部３０ｂにおける放送用信号の出力レベルに対応する情報を取得する（ＳＡ３）。
【００３７】
次に、作業者が、波形整形部３０ａにおける放送用信号の入力レベル、及び増幅部３０ｂにおける放送用信号の出力レベルを容易に確認することができるように、表示制御部３５ａは、ＳＡ４〜ＳＡ９の処理を行う。
【００３８】
具体的には、波形整形部３０ａにおける放送用信号の入力レベルについては、まず、表示制御部３５ａは、ＳＡ２にて取得された情報に基づいて、第１の検出部３１にて検出された波形整形部３０ａにおける放送用信号の入力レベルが閾値以上であるか否かを判定する（ＳＡ４）。
その結果、上記波形整形部３０ａにおける放送用信号の入力レベルが閾値以上であると判定された場合（ＳＡ４、Ｙｅｓ）、表示制御部３５ａは、第１の表示部３３によって、上記波形整形部３０ａにおける放送用信号の入力レベルが閾値以上である旨を表示させる（ＳＡ５）。
一方、上記波形整形部３０ａにおける放送用信号の入力レベルが閾値を下回ると判定された場合（ＳＡ４、Ｎｏ）、表示制御部３５ａは、第１の表示部３３によって、上記波形整形部３０ａにおける放送用信号の入力レベルが閾値を下回る旨を表示させる（ＳＡ６）。
【００３９】
ここで、上述した波形整形部３０ａにおける放送用信号の入力レベルが閾値以上である旨の表示、又は波形整形部３０ａにおける放送用信号の入力レベルが閾値を下回る旨の表示を、作業者が容易に認識できるように、実施の形態１では、表示制御部３５ａは、これら表示内容に対応する色で点灯又は点滅させる。具体的には、波形整形部３０ａにおける放送用信号の入力レベルが閾値を下回ることを示すために、表示制御部３５ａは、第１の表示部３３を「青色」に点灯又は点滅させる。また、波形整形部３０ａにおける放送用信号の入力レベルが閾値を下回ることを示すために、表示制御部３５ａは、第１の表示部３３を「赤色」に点灯又は点滅させる（なお、後述するＳＡ８、ＳＡ９の処理においても同様とする）。
【００４０】
次に、増幅部３０ｂにおける放送用信号の出力レベルについては、まず、表示制御部３５ａは、ＳＡ３にて取得された情報に基づいて、第２の検出部３２にて検出された増幅部３０ｂにおける放送用信号の出力レベルが閾値以上であるか否かを判定する（ＳＡ７）。
その結果、上記増幅部３０ｂにおける放送用信号の出力レベルが閾値以上であると判定された場合（ＳＡ７、Ｙｅｓ）、表示制御部３５ａは、第２の表示部３４によって、上記増幅部３０ｂにおける放送用信号の出力レベルが閾値以上である旨を表示させる（ＳＡ８）。より具体的には、表示制御部３５ａは、第２の表示部３４を「青色」に点灯又は点滅させる。
一方、上記増幅部３０ｂにおける放送用信号の出力レベルが閾値を下回ると判定された場合（ＳＡ７、Ｎｏ）、表示制御部３５ａは、第２の表示部３４によって、上記増幅部３０ｂにおける放送用信号の出力レベルが閾値を下回る旨を表示させる（ＳＡ９）。より具体的には、表示制御部３５ａは、第２の表示部３４を「赤色」に点灯又は点滅させる。
【００４１】
その後、制御部３５は、ＳＡ１の処理に戻り、以降同様に、ＳＡ１〜ＳＡ９の処理を行う。
【００４２】
（各表示部の表示パターンと、信号レベル調整装置の状態との関係）
次に、上述した処理における各表示部の表示パターンと、信号レベル調整装置１の状態との関係について説明する。図４は、各表示部の表示パターンと、信号レベル調整装置１の状態との関係を例示した図である。図４に示すように、第１の表示部３３、及び第２の表示部３４の表示パターンに基づいて、以下に示す信号レベル調整装置１の状態が特定される。
【００４３】
具体的には、第１の表示部３３、及び第２の表示部３４が「緑色」に点灯又は点滅している場合（図４の表示パターン１）、放送局から送信される放送用信号のレベルが所定値以上であり、且つ波形整形部３０ａ及び増幅部３０ｂが正常に動作していると考えられるので、信号レベル調整装置１は、「正常」な状態であると特定される。
【００４４】
また、第１の表示部３３、及び第２の表示部３４が「赤色」に点灯又は点滅している場合（図４の表示パターン２）、放送局から送信される放送用信号のレベルが所定値よりも下回ると考えられるので、信号レベル調整装置１は、「放送休止中」の状態であると特定される。
また、第１の表示部３３が「緑色」に点灯又は点滅し、第２の表示部３４が「赤色」に点灯又は点滅している場合（図４の表示パターン３）、増幅部３０ｂが正常に動作していないと考えられるので、信号レベル調整装置１は、「機器故障（増幅部の異常）」の状態であると特定される。
【００４５】
また、第１の表示部３３が「赤色」に点灯又は点滅し、第２の表示部３４が「緑色」に点灯又は点滅している場合（図４の表示パターン４）、増幅部３０ｂが異常発振していると考えられるので、信号レベル調整装置１は、「機器故障（増幅部の異常発振）」の状態であると特定される。
【００４６】
また、第１の表示部３３、及び第２の表示部３４が「消灯」している場合（図４の表示パターン５）、信号レベル調整装置１の電源系統（図示省略）に異常が生じていると考えられるので、信号レベル調整装置１は、「機器故障（電源の異常）」の状態であると特定される。
【００４７】
このように、作業者は、第１の表示部３３、及び第２の表示部３４の表示パターンに基づいて、信号レベル調整装置１の状態を詳細に把握することができる。
【００４８】
（効果）
このように実施の形態１によれば、表示制御部３５ａは、第１の表示部３３によって、第１の検出部３１にて検出された波形整形部３０ａにおける放送用信号の入力レベルに対応する情報を表示させると共に、第２の表示部３４によって、第２の検出部３２にて検出された増幅部３０ｂにおける放送用信号の出力レベルに対応する情報を表示させるので、作業者は、別途測定器等を用意することなく、第１の表示部３３及び第２の表示部３４を介して波形整形部３０ａにおける放送用信号の入力レベル、及び増幅部３０ｂにおける放送用信号の出力レベルを容易に確認することができ、波形整形部３０ａ及び増幅部３０ｂの故障の有無を簡易に調べることができる。また、作業者は、第１の表示部３３、及び第２の表示部３４の表示パターンに基づいて、信号レベル調整装置１の状態を詳細に把握することができ、波形整形部３０ａ及び増幅部３０ｂの故障を迅速且つ正確に見つけることができる。
【００４９】
また、表示制御部３５ａは、第１の検出部３１にて検出された波形整形部３０ａにおける放送用信号の入力レベルに対応する色で第１の表示部３３を点灯又は点滅させると共に、第２の検出部３２にて検出された増幅部３０ｂにおける放送用信号の出力レベルに対応する色で第２の表示部３４を点灯又は点滅させるので、作業者は、第１の表示部３３の色及び第２の表示部３４の色を介して、波形整形部３０ａにおける放送用信号の入力レベル、及び増幅部３０ｂにおける放送用信号の出力レベルを一層容易に確認することができる。
【００５０】
〔実施の形態２〕
次に、実施の形態２について説明する。この形態は、第１の信号レベル調整装置において、波形整形手段における放送用信号の入力状態に対応する情報を表示すると共に、電光変換手段における放送用信号の入力状態に対応する情報を表示し、第２の信号レベル調整装置において、光電変換手段における放送用信号の出力状態に対応する情報を表示すると共に、増幅手段における放送用信号の出力状態に対応する情報を表示する形態である。なお、特に説明なき構造については、実施の形態１の構造と同様であり、実施の形態１と略同様の構成要素、及び処理については、必要に応じて、実施の形態１で用いたのと同一の符号又は名称を付してその説明を省略する。
【００５１】
（構成）
まず、信号レベル調整システムの構成について説明する。図５は、実施の形態２に係る信号レベル調整システムを示す図であり、（ａ）は正面図、（ｂ）は底面図である。図６は、図５に示す信号レベル調整システムの構成を示すブロック図である。図６に示すように、実施の形態２に係る信号レベル調整システム１００は、第１の信号レベル調整装置１０１と、第２の信号レベル調整装置２０１とを備えている。
【００５２】
（構成−第１の信号レベル調整装置）
第１の信号レベル調整装置１０１は、図５（ａ）、（ｂ）に示す筐体１１０の外部において、電柱（図示省略）に取り付けられたワイヤ１２５に懸架されており、図６に示す受信アンテナ１２０と同軸ケーブル１２０ａを介して接続されていると共に、図５（ａ）、（ｂ）に示す第２の信号レベル調整装置２０１と光ファイバ１３１ａを介して接続されている。また、第１の信号レベル調整装置１０１は、筐体１１０の底面において、当該筐体１１０の外部から露出された状態で設けられた第１の表示部１３４及び第２の表示部１３５を備えている。また、第１の信号レベル調整装置１０１は、図５（ａ）、（ｂ）に示す筐体１１０の内部において、図６に示す第１の信号レベル調整部１３０と、電光変換部１３１と、第１の検出部１３２と、第２の検出部１３３と、第１の制御部１３６とを備えている。
【００５３】
（構成−第１の信号レベル調整装置−筐体）
筐体１１０は、図５（ａ）、（ｂ）に示すように、ベース部１１１と、カバー部１１２とを備えて構成されており、カバー部１１２はその上端部近傍位置においてベース部１１１に対して回動自在に軸支されている。
【００５４】
また、ベース部１１１には、開口１１１ａ、１１１ｂ、１１１ｃ、１１１ｄと、懸架部（図示省略）とが設けられている。開口１１１ａは、筐体１１０の内部に設けられた入力端子（図示省略）に同軸ケーブル１２０ａを接続するために、筐体１１０の外部から同軸ケーブル１２０ａを引き込むための開口である。開口１１１ｂは、筐体１１０の内部に設けられた電光変換部１３１の出力端子（図示省略）に光ファイバ１３１ａを接続するために、筐体１１０の外部から光ファイバ１３１ａを引き込むための開口である。開口１１１ｃは、第１の表示部１３４を筐体１１０の外部に露出させるための開口である。開口１１１ｄは、第２の表示部１３５を筐体１１０の外部に露出させるための開口である。懸架部は、筐体１１０をワイヤ１２５に懸架するための懸架手段であり、筐体１１０の上端部に配置されている。
【００５５】
（構成−第１の信号レベル調整装置−第１の信号レベル調整部）
第１の信号レベル調整部１３０は、受信アンテナ１２０にて受信された放送用信号の信号レベルを調整する信号レベル調整手段であり、波形整形部１３０ａを備えている。
【００５６】
波形整形部１３０ａは、図６に示すように、受信アンテナ１２０から出力された放送用信号を波形整形し、当該波形整形した放送用信号を電光変換部１３１に出力する。
【００５７】
（構成−第１の信号レベル調整装置−電光変換部）
電光変換部１３１は、波形整形部１３０ａにて波形整形された放送用信号を、電気信号から光信号に電光変換する電光変換手段である。具体的には、図６に示すように、電光変換部１３１は、波形整形部１３０ａから出力された放送用信号を電光変換し、当該電光変換された放送用信号を光ファイバ１３１ａ（例えば、数ｋｍの長さを有する光ファイバ等）を介して第２の信号レベル調整装置２０１に向けて送信する。また、この電光変換部１３１としては、例えば公知のＬＤ（Ｌａｓｅｒ  Ｄｉｏｄｅ）を用いることができるが、これに限られず、例えば、電光変換素子として公知のＬＥＤや公知の有機ＥＬ素子が用いられてもよい。なお、光ファイバ１３１ａは、特許請求の範囲における「光伝送線路」に対応する。
【００５８】
（構成−第１の信号レベル調整装置−第１の検出部）
第１の検出部１３２は、波形整形部１３０ａにおける放送用信号の入力状態を検出する第１の検出手段である。具体的には、図６に示すように、第１の検出部１３２は、波形整形部１３０ａに接続されており、波形整形部１３０ａにおける放送用信号の入力レベルに対応する情報を、第１の制御部１３６に出力する。
【００５９】
（構成−第１の信号レベル調整装置−第２の検出部）
第２の検出部１３３は、電光変換部１３１における放送用信号の入力状態を検出する第２の検出手段である。具体的には、図６に示すように、第２の検出部１３３は、電光変換部１３１に接続されており、電光変換部１３１における放送用信号の入力レベルに対応する情報を、第１の制御部１３６に出力する。
【００６０】
（構成−第１の信号レベル調整装置−第１の表示部）
第１の表示部１３４は、第１の検出部１３２の検出結果に関する情報を表示する第１の表示手段である。
【００６１】
（構成−第１の信号レベル調整装置−第２の表示部）
第２の表示部１３５は、第２の検出部１３３の検出結果に関する情報を表示する第２の表示手段である。
【００６２】
（構成−第１の信号レベル調整装置−第１の制御部）
第１の制御部１３６は、第１の信号レベル調整装置１０１の各部を制御する制御手段であり、機能概念的に、第１の表示制御部１３６ａを備えている。第１の表示制御部１３６ａは、第１の表示部１３４、及び第２の表示部１３５における情報の表示を制御する第１の表示制御手段である。なお、この第１の制御部１３６の各構成要素によって実行される処理の詳細については後述する。
【００６３】
（構成−第２の信号レベル調整装置）
第２の信号レベル調整装置２０１は、図５（ａ）、（ｂ）に示す筐体２１０の外部において、電柱（図示省略）に取り付けられたワイヤ２２５に懸架されており、図６に示す送信アンテナ２２０と同軸ケーブル２２０ａを介して接続されていると共に、図５（ａ）、（ｂ）に示す第１の信号レベル調整装置１０１と光ファイバ１３１ａを介して接続され、当該筐体２１０の底面において、当該筐体２１０の外部から露出された状態で設けられた第３の表示部２３４及び第４の表示部２３５を備えている。また、第２の信号レベル調整装置２０１は、図５（ａ）、（ｂ）に示す筐体２１０の内部において、図６に示す光電変換部２３０と、第２の信号レベル調整部２３１と、第３の検出部２３２と、第４の検出部２３３と、第２の制御部２３６とを備えている。
【００６４】
（構成−第２の信号レベル調整装置−筐体）
筐体２１０は、図５（ａ）、（ｂ）に示すように、ベース部２１１と、カバー部２１２とを備えて構成されており、カバー部２１２はその上端部近傍位置においてベース部２１１に対して回動自在に軸支されている。
【００６５】
また、ベース部２１１には、開口２１１ａ、２１１ｂ、２１１ｃ、２１１ｄと、懸架部（図示省略）とが設けられている。開口２１１ａは、筐体２１０の内部に設けられた光電変換部２３０の出力端子（図示省略）に光ファイバ１３１ａを接続するために、筐体２１０の外部から光ファイバ１３１ａを引き込むための開口である。開口２１１ｂは、筐体２１０の内部に設けられた出力端子（図示省略）に同軸ケーブル２２０ａを接続するために、筐体２１０の外部から同軸ケーブル２２０ａを引き込むための開口である。開口２１１ｃは、第３の表示部２３４を筐体２１０の外部に露出させるための開口である。開口２１１ｄは、第４の表示部２３５を筐体２１０の外部に露出させるための開口である。懸架部は、筐体２１０をワイヤ２２５に懸架するための懸架手段であり、筐体２１０の上端部に配置されている。
【００６６】
（構成−第２の信号レベル調整装置−光電変換部）
光電変換部２３０は、電光変換部１３１から光ファイバ１３１ａを介して送信された放送用信号を、光信号から電気信号に光電変換する光電変換手段である。具体的には、図６に示すように、光電変換部２３０は、電光変換部１３１から光ファイバ１３１ａを介して送信された放送用信号を光電変換し、当該光電変換された放送用信号を後述する第２の信号レベル調整部２３１の増幅部２３１ａに出力する。また、この光電変換部２３０としては、例えば、公知のＰＤ（Ｐｈｏｔｏ  Ｄｉｏｄｅ）を含む光電変換回路で構成されている。
【００６７】
（構成−第２の信号レベル調整装置−第２の信号レベル調整部）
第２の信号レベル調整部２３１は、光電変換部２３０にて光電変換された放送用信号の信号レベルを調整する第２の信号レベル調整手段であり、増幅部２３１ａを備えている。
【００６８】
増幅部２３１ａは、図６に示すように、光電変換部２３０から出力された放送用信号を増幅し、当該増幅した放送用信号を同軸ケーブル２２０ａを介して送信アンテナ２２０に出力する。
【００６９】
（構成−第２の信号レベル調整装置−第３の検出部）
第３の検出部２３２は、光電変換部２３０における放送用信号の出力状態を検出する第３の検出手段である。具体的には、図６に示すように、第３の検出部２３２は、光電変換部２３０に接続されており、光電変換部２３０における放送用信号の出力レベルに対応する情報を、第２の制御部２３６に出力する。
【００７０】
（構成−第２の信号レベル調整装置−第４の検出部）
第４の検出部２３３は、増幅部２３１ａにおける放送用信号の出力状態を検出する第４の検出手段である。具体的には、図６に示すように、第４の検出部２３３は、増幅部２３１ａに接続されており、増幅部２３１ａにおける放送用信号の出力レベルに対応する情報を、第２の制御部２３６に出力する。
【００７１】
（構成−第２の信号レベル調整装置−第３の表示部）
第３の表示部２３４は、第３の検出部２３２の検出結果に関する情報を表示する第３の表示手段である。
【００７２】
（構成−第２の信号レベル調整装置−第４の表示部）
第４の表示部２３５は、第４の検出部２３３の検出結果に関する情報を表示する第４の表示手段である。
【００７３】
（構成−第２の信号レベル調整装置−第２の制御部）
第２の制御部２３６は、第２の信号レベル調整装置２０１の各部を制御する制御手段であり、機能概念的に、第２の表示制御部２３６ａを備えている。第２の表示制御部２３６ａは、第３の表示部２３４、及び第４の表示部２３５における情報の表示を制御する第２の表示制御手段である。なお、この第２の制御部２３６の各構成要素によって実行される処理の詳細については後述する。
【００７４】
（処理）
次に、このように構成された第１の信号レベル調整装置１０１、及び第２の信号レベル調整装置２０１が実行する処理について説明する。これらの処理の実行タイミングは任意であり、例えば、第１の信号レベル調整装置１０１、及び第２の信号レベル調整装置２０１の電源が投入された場合に起動される。
【００７５】
（処理−第１の信号レベル調整装置の処理）
図７は、実施の形態２に係る第１の信号レベル調整装置１０１が実行する処理のフローチャートである。なお、実施の形態２に係る第１の信号レベル調整装置１０１の処理のうち、ＳＢ１、ＳＢ２は図３のＳＡ１、ＳＡ２と、ＳＢ４〜ＳＢ６は図３のＳＡ４〜ＳＡ６と、それぞれ同様であるので、説明を省略する。
【００７６】
図７のＳＢ２の処理の後、第１の制御部１３６は、第２の検出部１３３にて検出された電光変換部１３１における放送用信号の入力レベルに対応する情報を取得する（ＳＢ３）。
【００７７】
また、ＳＢ５又はＳＢ６の処理の後、第１の表示制御部１３６ａは、ＳＢ３にて取得された情報に基づいて、第２の検出部１３３にて検出された電光変換部１３１における放送用信号の入力レベルが閾値以上であるか否かを判定する（ＳＢ７）。
その結果、上記電光変換部１３１における放送用信号の入力レベルが閾値以上であると判定された場合（ＳＢ７、Ｙｅｓ）、第１の表示制御部１３６ａは、第２の表示部１３５によって、上記電光変換部１３１における放送用信号の入力レベルが閾値以上である旨を表示させる（ＳＢ８）。より具体的には、第１の表示制御部１３６ａは、第２の表示部１３５を「青色」に点灯又は点滅させる。
一方、上記電光変換部１３１における放送用信号の入力レベルが閾値を下回ると判定された場合（ＳＢ７、Ｎｏ）、第１の表示制御部１３６ａは、第２の表示部１３５によって、上記電光変換部１３１における放送用信号の入力レベルが閾値を下回る旨を表示させる（ＳＢ９）。より具体的には、第１の表示制御部１３６ａは、第２の表示部１３５を「赤色」に点灯又は点滅させる。
【００７８】
その後、制御部１３６は、ＳＢ１の処理に戻り、以降同様に、ＳＢ１〜ＳＢ９の処理を行う。
【００７９】
（処理−第２の信号レベル調整装置の処理）
図８は、実施の形態２に係る第２の信号レベル調整装置２０１が実行する処理のフローチャートである。なお、実施の形態２に係る第２の信号レベル調整装置２０１の処理のうち、ＳＣ１、ＳＣ３は図３のＳＡ１、ＳＡ３と、ＳＣ７〜ＳＣ９は図３のＳＡ７〜ＳＡ９と、それぞれ同様であるので、説明を省略する。
【００８０】
図８のＳＣ１の処理の後、第２の制御部２３６は、第３の検出部２３２にて検出された光電変換部２３０における放送用信号の出力レベルに対応する情報を取得する（ＳＣ２）。
【００８１】
また、ＳＣ３の処理の後、第２の表示制御部２３６ａは、ＳＣ２にて取得された情報に基づいて、第３の検出部２３２にて検出された光電変換部２３０における放送用信号の出力レベルが閾値以上であるか否かを判定する（ＳＣ４）。
その結果、上記光電変換部２３０における放送用信号の出力レベルが閾値以上であると判定された場合（ＳＣ４、Ｙｅｓ）、第２の表示制御部２３６ａは、第３の表示部２３４によって、上記光電変換部２３０における放送用信号の出力レベルが閾値以上である旨を表示させる（ＳＣ５）。より具体的には、第２の表示制御部２３６ａは、第３の表示部２３４を「青色」に点灯又は点滅させる。
一方、上記光電変換部２３０における放送用信号の出力レベルが閾値を下回ると判定された場合（ＳＣ４、Ｎｏ）、第２の表示制御部２３６ａは、第３の表示部２３４によって、上記光電変換部２３０における放送用信号の出力レベルが閾値を下回る旨を表示させる（ＳＣ６）。より具体的には、第２の表示制御部２３６ａは、第３の表示部２３４を「赤色」に点灯又は点滅させる。
【００８２】
（各表示部の表示パターンと、第１の信号レベル調整装置及び第２の信号レベル調整装置の状態との関係）
次に、上述した処理における各表示部の表示パターンと、第１の信号レベル調整装置１０１及び第２の信号レベル調整装置２０１の状態との関係について説明する。図９は、各表示部の表示パターンと、第１の信号レベル調整装置１０１及び第２の信号レベル調整装置２０１の状態との関係を例示した図である。図９に示すように、第１の表示部１３４〜第４の表示部２３５の表示パターンに基づいて、以下に示す第１の信号レベル調整装置１０１及び第２の信号レベル調整装置２０１の状態が特定される。
【００８３】
具体的には、図９の表示パターン１においては、放送局から送信される放送用信号のレベルが所定値以上であり、且つ波形整形部１３０ａ、電光変換部１３１、光電変換部２３０、及び増幅部２３１ａが正常に動作していると考えられるので、第１の信号レベル調整装置１０１及び第２の信号レベル調整装置２０１は、「正常」な状態であると特定される。
【００８４】
また、図９の表示パターン２においては、放送局から送信される放送用信号のレベルが所定値よりも下回ると考えられるので、第１の信号レベル調整装置１０１及び第２の信号レベル調整装置２０１は、「放送休止中」の状態であると特定される。
【００８５】
また、図９の表示パターン３においては、増幅部２３１ａが正常に動作していないと考えられるので、第１の信号レベル調整装置１０１及び第２の信号レベル調整装置２０１は、「機器故障（増幅部の異常）」の状態であると特定される。
【００８６】
また、図９の表示パターン４においては、光電変換部２３０が正常に動作しておらず、且つ増幅部２３１ａが異常発振し、あるいは光ファイバ１３１ａに異常があると考えられるので、第１の信号レベル調整装置１０１及び第２の信号レベル調整装置２０１は、「機器故障（光電変換部の異常、及び増幅部の異常発振）、又は光伝送路の異常」の状態であると特定される。
【００８７】
また、図９の表示パターン５においては、電光変換部１３１が正常に動作しておらず、光電変換部２３０が異常発振していると考えられるので、第１の信号レベル調整装置１０１及び第２の信号レベル調整装置２０１は、「機器故障（電光変換部の異常、及び光電変換部の異常発振）」の状態であると特定される。
【００８８】
また、図９の表示パターン６においては、電光変換部１３１が異常発振していると考えられるので、第１の信号レベル調整装置１０１及び第２の信号レベル調整装置２０１は、「機器故障（電光変換部の異常発振）」の状態であると特定される。
【００８９】
また、図９の表示パターン７においては、光電変換部２３０が正常に動作していない、あるいは光ファイバ１３１ａに異常があると考えられるので、第１の信号レベル調整装置１０１及び第２の信号レベル調整装置２０１は、「機器故障（光電変換部の異常）、あるいは光伝送路の異常」の状態であると特定される。
【００９０】
また、図９の表示パターン８においては、電光変換部１３１及び増幅部２３１ａが正常に動作しておらず、光電変換部２３０が異常発振していると考えられるので、第１の信号レベル調整装置１０１及び第２の信号レベル調整装置２０１は、「機器故障（電光変換部及び増幅部の異常、及び光電変換部の異常発振）」の状態であると特定される。
【００９１】
また、図９の表示パターン９においては、電光変換部１３１が異常発振しており、増幅部２３１ａが正常に動作していないと考えられるので、第１の信号レベル調整装置１０１及び第２の信号レベル調整装置２０１は、「機器故障（電光変換部の異常発振、増幅部の異常）」の状態であると特定される。
【００９２】
また、図９の表示パターン１０においては、電光変換部１３１が正常に動作しておらず、増幅部２３１ａが異常発振していると考えられるので、第１の信号レベル調整装置１０１及び第２の信号レベル調整装置２０１は、「機器故障（電光変換部の異常、増幅部の異常発振）」の状態であると特定される。
【００９３】
また、図９の表示パターン１１においては、電光変換部１３１及び増幅部２３１ａが異常発振し、且つ光電変換部２３０が正常に動作しておらず、あるいは光ファイバ１３１ａに異常があると考えられるので、第１の信号レベル調整装置１０１及び第２の信号レベル調整装置２０１は、「機器故障（電光変換部及び増幅部の異常発振、光電変換部の異常）、あるいは光伝送路の異常」の状態であると特定される。
【００９４】
また、図９の表示パターン１２においては、光電変換部２３０が異常発振していると考えられるので、第１の信号レベル調整装置１０１及び第２の信号レベル調整装置２０１は、「機器故障（光電変換部の異常発振）」の状態であると特定される。
【００９５】
また、図９の表示パターン１３においては、電光変換部１３１が正常に動作していないと考えられるので、第１の信号レベル調整装置１０１及び第２の信号レベル調整装置２０１は、「機器故障（電光変換部の異常）」の状態であると特定される。
【００９６】
また、図９の表示パターン１４においては、電光変換部１３１が異常発振し、且つ光電変換部２３０が正常に動作しておらず、あるいは光ファイバ１３１ａに異常があると考えられるので、第１の信号レベル調整装置１０１及び第２の信号レベル調整装置２０１は、「機器故障（電光変換部の異常発振、光電変換部の異常）、あるいは光伝送路の異常」の状態であると特定される。
【００９７】
また、図９の表示パターン１５においては、光電変換部２３０が異常発振しており、増幅部２３１ａが正常に動作していないと考えられるので、第１の信号レベル調整装置１０１及び第２の信号レベル調整装置２０１は、「機器故障（光電変換部の異常発振、増幅部の異常）」の状態であると特定される。
【００９８】
また、図９の表示パターン１６においては、増幅部２３１ａが異常発振していると考えられるので、第１の信号レベル調整装置１０１及び第２の信号レベル調整装置２０１は、「機器故障（増幅部の異常発振）」の状態であると特定される。
【００９９】
また、図９の表示パターン１７においては、第１の信号レベル調整装置１０１の電源系統に異常が生じていると考えられるので、第１の信号レベル調整装置１０１及び第２の信号レベル調整装置２０１は、「機器故障（第１の信号レベル調整装置の電源異常）」の状態であると特定される。
【０１００】
また、図９の表示パターン１８においては、第２の信号レベル調整装置２０１の電源系統に異常が生じていると考えられるので、第１の信号レベル調整装置１０１及び第２の信号レベル調整装置２０１は、「機器故障（第２の信号レベル調整装置の電源異常）」の状態であると特定される。
【０１０１】
このように、作業者は、第１の表示部１３４〜第４の表示部２３５の表示パターンに基づいて、第１の信号レベル調整装置１０１、及び第２の信号レベル調整装置２０１の状態を詳細に把握することができる。
【０１０２】
（効果）
このように実施の形態２によれば、第１の表示制御部１３６ａは、第１の表示部１３４によって、第１の検出部１３２にて検出された波形整形部１３０ａにおける放送用信号の入力レベルに対応する情報を表示させると共に、第２の表示部１３５によって、第２の検出部１３３にて検出された電光変換部１３１における放送用信号の入力レベルに対応する情報を表示させ、第２の表示制御部２３６ａは、第３の表示部２３４によって、第３の検出部２３２にて検出された光電変換部２３０における放送用信号の出力レベルに対応する情報を表示させると共に、第４の表示部２３５によって、第４の検出部２３３にて検出された増幅部２３１ａにおける放送用信号の出力レベルに対応する情報を表示させるので、作業者は、別途測定器等を用意することなく、第１の表示部１３４〜第４の表示部２３５を介して波形整形部１３０ａにおける放送用信号の入力レベル、電光変換部１３１における放送用信号の入力レベル、光電変換部２３０における放送用信号の出力レベル、及び増幅部２３１ａにおける放送用信号の出力レベルを容易に確認することができ、波形整形部１３０ａ、電光変換部１３１、光電変換部２３０、及び増幅部２３１ａの故障の有無を簡易に調べることができる。また、作業者は、第１の表示部１３４〜第４の表示部２３５の表示パターンに基づいて、第１の信号レベル調整装置１０１の状態、及び第２の信号レベル調整装置２０１の状態を詳細に把握することができ、波形整形部１３０ａ、電光変換部１３１、光電変換部２３０、及び増幅部２３１ａの故障を迅速且つ正確に見つけることができる。
【０１０３】
〔実施の形態３〕
次に、実施の形態３について説明する。この形態は、第２の信号レベル調整装置の所定の表示手段において、第１の信号レベル調整装置に備えられた電光変換手段における放送用信号の入力状態に対応する情報を表示する形態である。なお、特に説明なき構造については、実施の形態２の構造と同様であり、実施の形態２と略同様の構成要素、及び処理については、必要に応じて、実施の形態２で用いたのと同一の符号又は名称を付してその説明を省略する。
【０１０４】
（構成−第１の信号レベル調整装置）
まず、第１の信号レベル調整装置の構成について説明する。図１０は、実施の形態３に係る信号レベル調整システム１００の構成を示すブロック図である。図１０に示すように、実施の形態３に係る第１の信号レベル調整装置１０１は、実施の形態２の第１の信号レベル調整装置１０１の構成要素とほぼ同様に構成されているが、第２の検出部１３３の出力内容が異なり、及び電光変換部１３１の送信内容が異なる。
【０１０５】
（構成−第１の信号レベル調整装置−第２の検出部）
第２の検出部１３３は、図１０に示すように、電光変換部１３１における放送用信号の入力レベルに対応する情報を、第１の制御部１３６に出力すると共に、電光変換部１３１にも出力する。
【０１０６】
（構成−第１の信号レベル調整装置−電光変換部）
電光変換部１３１は、図１０に示すように、波形整形部１３０ａから出力された放送用信号を電光変換し、当該電光変換された放送用信号を第１の光ファイバ１３１ａを介して第２の信号レベル調整装置２０１に向けて送信する。また、この電光変換部１３１は、第２の検出部１３３から出力された電光変換部１３１における放送用信号の入力レベルに対応する情報を含む信号を電光変換し、当該電光変換された信号を第２の光ファイバ１３１ｂを介して第２の信号レベル調整装置２０１に向けて送信する。ここで、第２の光ファイバ１３１ｂの接続については、具体的には、この第２の光ファイバ１３１ｂの端部の一方は、ベース部１１１の開口１１１ｂを介して電光変換部１３１の出力端子に接続されており、この第２の光ファイバ１３１ｂの端部の他方は、第２の信号レベル調整装置２０１におけるベース部１１１の開口２１１ａを介して光電変換部２３０の入力端子に接続されている（例えば、第１の光ファイバ１３１ａ及び第２の光ファイバ１３１ｂを束ねて構成された１本の光ケーブルが用いることができる）。なお、第１の光ファイバ１３１ａは、特許請求の範囲における「光伝送線路」に対応し、第２の光ファイバ１３１ｂは、特許請求の範囲における「前記光伝送線路とは異なる光伝送線路」に対応する。
【０１０７】
（構成−第２の信号レベル調整装置）
次に、第２の信号レベル調整装置２０１の構成について説明する。図１０に示すように、実施の形態３に係る第２の信号レベル調整装置２０１は、実施の形態２の第２の信号レベル調整装置２０１の構成要素とほぼ同様に構成されているが、第５の表示部２３７を加えて構成されており、光電変換部２３０の出力内容が異なり、及び第２の表示制御部２３６ａの制御内容が異なる。
【０１０８】
（構成−第２の信号レベル調整装置−第５の表示部）
第５の表示部２３７は、第２の検出部１３３の検出結果に関する情報を表示する第５の表示手段であり、筐体２１０に設けられた開口（図示省略）を介して当該筐体２１０の外部から露出された状態で配置されている。
【０１０９】
（構成−第２の信号レベル調整装置−光電変換部）
光電変換部２３０は、図１０に示すように、電光変換部１３１から第１の光ファイバ１３１ａを介して送信された放送用信号を光電変換し、当該光電変換された放送用信号を第２の信号レベル調整部２３１の増幅部２３１ａに出力する。また、この光電変換部２３０は、電光変換部１３１から第２の光ファイバ１３１ｂを介して送信された第２の検出部１３３から出力された電光変換部１３１における放送用信号の入力レベルに対応する情報を含む信号を光電変換し、当該光電変換された信号を第２の制御部２３６に出力する。
【０１１０】
（構成−第２の信号レベル調整装置−第２の制御部）
第２の制御部２３６は、機能概念的に、第２の表示制御部２３６ａを備えている。また、第２の表示制御部２３６ａは、第３の表示部２３４、第４の表示部２３５、及び第５の表示部２３７における情報の表示を制御する。
【０１１１】
（処理）
次に、このように構成された第１の信号レベル調整装置１０１、及び第２の信号レベル調整装置２０１が実行する処理について説明する。なお、実施の形態３に係る第１の信号レベル調整装置１０１の処理は、実施の形態２の第１の信号レベル調整装置１０１の処理と同じであるため、フローチャートの図示及び説明を省略する。また、第１の信号レベル調整装置１０１の処理が起動された後、第２の検出部１３３から出力された電光変換部１３１における放送用信号の入力レベルに対応する情報を含む信号は、電光変換部１３１にて電光変換され、当該電光変換された信号は、第２の光ファイバ１３１ｂを介して第２の信号レベル調整装置２０１に向けて送信される。
【０１１２】
（処理−第２の信号レベル調整装置の処理）
図１１は、実施の形態３に係る第２の信号レベル調整装置２０１が実行する処理のフローチャートである。なお、実施の形態３に係る第２の信号レベル調整装置２０１の処理のうち、ＳＤ１〜ＳＤ９は図８のＳＣ１〜ＳＣ９と、それぞれ同様であるので、説明を省略する。
【０１１３】
図１１のＳＤ８、又はＳＤ９の処理後、第２の制御部２３６は、第２の検出部１３３にて検出された電光変換部１３１における放送用信号の入力レベルに対応する情報を含む信号を取得したか否かを判定する（ＳＤ１０）。
【０１１４】
ここで、第２の検出部１３３にて検出された電光変換部１３１における放送用信号の入力レベルに対応する情報を含む信号が取得されなかったと判定された場合（ＳＤ１０、Ｎｏ）、第２の制御部２３６は、ＳＤ１の処理に移行する。
【０１１５】
一方、第２の検出部１３３にて検出された電光変換部１３１における放送用信号の入力レベルに対応する情報を含む信号が取得されたと判定された場合（ＳＤ１０、Ｙｅｓ）、第２の表示制御部２３６ａは、ＳＤ１０にて取得された信号に基づいて、第２の検出部１３３にて検出された電光変換部１３１における放送用信号の入力レベルが閾値以上であるか否かを判定する（ＳＤ１１）。
その結果、上記電光変換部１３１における放送用信号の入力レベルが閾値以上であると判定された場合（ＳＤ１１、Ｙｅｓ）、第２の表示制御部２３６ａは、第５の表示部２３７によって、上記電光変換部１３１における放送用信号の入力レベルが閾値以上である旨を表示させる（ＳＤ１２）。より具体的には、第２の表示制御部２３６ａは、第５の表示部２３７を「青色」に点灯又は点滅させる。
一方、上記電光変換部１３１における放送用信号の入力レベルが閾値を下回ると判定された場合（ＳＤ１１、Ｎｏ）、第２の表示制御部２３６ａは、第５の表示部２３７によって、上記電光変換部１３１における放送用信号の入力レベルが閾値を下回る旨を表示させる（ＳＤ１３）。より具体的には、第２の表示制御部２３６ａは、第５の表示部２３７を「赤色」に点灯又は点滅させる。
このような処理により、第１の信号レベル調整装置１０１と第２の信号レベル調整装置２０１との距離が離れている場合であっても、第２の信号レベル調整装置２０１側にいる作業者は、第１の信号レベル調整装置１０１に備えられた電光変換部１３１における放送用信号の入力レベルを容易に確認することができる。
【０１１６】
その後、制御部３５は、ＳＤ１の処理に戻り、以降同様に、ＳＤ１〜ＳＤ１３の処理を行う。
【０１１７】
（各表示部の表示パターンと、第１の信号レベル調整装置及び第２の信号レベル調整装置の状態との関係）
次に、上述した処理における各表示部の表示パターンと、第１の信号レベル調整装置１０１及び第２の信号レベル調整装置２０１の状態との関係について説明する。実施の形態３に係る各表示部の表示パターンと、第１の信号レベル調整装置１０１及び第２の信号レベル調整装置２０１の状態との関係は、図９に示す実施の形態２の第１の信号レベル調整装置１０１及び第２の信号レベル調整装置２０１の状態との関係と同様であるので、説明を省略する。
【０１１８】
ここで、第２の信号レベル調整装置２０１側にいる作業者は、第２の表示部１３５、第３の表示部２３４、及び第４の表示部２３５の表示パターンを確認することができる。このことを踏まえると、例えば、これら第２の表示部１３５、第３の表示部２３４、及び第４の表示部２３５の表示パターンに基づいて、第１の信号レベル調整装置１０１及び第２の信号レベル調整装置２０１の状態を特定することができる。具体的には、ユーザ側においてテレビ視聴ができない場合において、第２の表示部１３５、第３の表示部２３４、及び第４の表示部２３５が「緑色」に点灯又は点滅している場合には、第１の表示部１３４が「赤色」に点灯又は点滅していることが想定される。このことから、電光変換部１３１が異常発振していると考えられるので、第１の信号レベル調整装置１０１及び第２の信号レベル調整装置２０１は、「機器故障（電光変換部の異常発振）」の状態であると特定される。
【０１１９】
（効果）
このように実施の形態３によれば、第２の表示制御部２３６ａは、第２の信号レベル調整装置２０１の第５の表示部２３７によって、光電変換部２３０にて光電変換された電光変換部１３１における放送用信号の入力レベルに対応する情報を含む信号に基づいて、電光変換部１３１における放送用信号の入力レベルに対応する情報を表示させるので、第１の信号レベル調整装置１０１と第２の信号レベル調整装置２０１との距離が離れている場合であっても、第２の信号レベル調整装置２０１側にいる作業者は、電光変換部１３１における電気信号の入力レベルを容易に確認することができる。これにより、例えば、第２の信号レベル調整装置２０１側にいる作業者は、光電変換部２３０における放送用信号の出力レベル、増幅部２３１ａにおける放送用信号の出力レベル、及び電光変換部１３１における電気信号の入力レベルに基づいて、第１の信号レベル調整装置１０１及び第２の信号レベル調整装置２０１の故障の有無を正確に判断することができ、第１の信号レベル調整装置１０１の設置場所に行って、当該装置の故障の有無を調べる手間を省くことができる。
【０１２０】
〔実施の形態に対する変形例〕
以上、本発明に係る各実施の形態について説明したが、本発明の具体的な構成及び手段は、特許請求の範囲に記載した各発明の技術的思想の範囲内において、任意に改変及び改良することができる。以下、このような変形例について説明する。
【０１２１】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、第１の検出部にて波形整形部における放送用信号の入力レベルを正確に検出できない場合、又は第２の検出部にて増幅部における放送用信号の出力レベルを正確に検出できない場合であっても、この波形整形部における放送用信号の入力レベルの検出、又はこの増幅部における放送用信号の出力レベルの検出を、従来とは異なる技術により従来と同様に達成できている場合には、本願発明の課題が解決されている。
【０１２２】
（信号レベル調整装置の設置について）
上記実施の形態１〜３では、信号レベル調整装置は、電柱（図示省略）に取り付けられたワイヤに懸架されていると説明したが、例えば、筐体に設けられたネジ穴に固定ネジを挿通して、当該固定ネジにより壁面等に固定されてもよい。
【０１２３】
（信号レベル調整部の構成について）
上記実施の形態１では、信号レベル調整部３０は、波形整形部３０ａと、増幅部３０ｂとを備えていると説明したが、例えば、これら構成要素以外に、上記増幅部３０ｂとは異なる増幅部や、放送用信号のうち、所定帯域の信号のみを出力するフィルタ等を備えてもよい。あるいは、波形整形部３０ａ、又は増幅部３０ｂのどちらか一方のみを備えてもよい。これと同様に、上記実施の形態２、３では、第１の信号レベル調整部１３０は、波形整形部１３０ａを備え、第２の信号レベル調整部２３１は、増幅部２３１ａを備えると説明したが、例えば、第１の信号レベル調整部１３０、及び第２の信号レベル調整部２３１は、これら構成要素以外に、上記増幅部２３１ａとは異なる増幅部や、放送用信号のうち、所定帯域の信号のみを出力するフィルタ等を備えてもよい。
【０１２４】
（各検出部について）
上記実施の形態２、３では、第１の信号レベル調整装置１０１は、第１の検出部１３２と、第２の検出部１３３とを備えていると説明したが、例えば、光ファイバ１３１ａ（又は第１の光ファイバ１３１ａ）における電光変換部１３１側の端部近傍部分に接続された第１の光検出部であって、電光変換部１３１における放送用信号の出力レベルを検出する第１の光検出部を備えてもよい。この場合において、第１の光検出部にて検出された電光変換部１３１における放送用信号の出力レベルに対応する情報を表示する第１の光表示部を備える。さらに、第２の信号レベル調整装置２０１は、第３の検出部２３２と、第４の検出部２３３とを備えていると説明したが、例えば、光ファイバ１３１ａ（又は第１の光ファイバ１３１ａ）における光電変換部２３０側の端部近傍部分に接続された第２の光検出部であって、光電変換部２３０における放送用信号の入力レベルを検出する第２の光検出部を備えてもよい。この場合において、第２の光検出部にて検出された光電変換部２３０における放送用信号の入力レベルに対応する情報を表示する第２の光表示部を備える。このような構成により、光ファイバ１３１ａ（又は第１の光ファイバ１３１ａ）からは常時光が出力されるので、図９に示すように、作業者は、第１の表示部１３４、第１の光表示部、第２の光表示部、及び第４の表示部２３５の表示パターンに基づいて、第１の信号レベル調整装置１０１、及び第２の信号レベル調整装置２０１の状態を詳細に把握することができないものの、第１の光表示部及び第２の光表示部の表示パターンに基づいて、電光変換部１３１又は光電変換部２３０の故障の有無を容易に調べることができる（例えば、第１の光表示部が「赤色」に点灯又は点滅し、第２の光表示部が「緑色」に点灯又は点滅している場合、電光変換部１３１が正常に動作していないことが特定される）。なお、第１の光検出部は、特許請求の範囲における「第２の検出手段」に対応し、第２の光検出部は、特許請求の範囲における「第３の検出手段」に対応する。
【０１２５】
（表示部について）
上記実施の形態１〜３では、各表示部は、放送用信号の入出力のレベルに応じた色で点灯又は点滅すると説明したが、これに限られない。例えば、各表示部は、放送用信号の入出力のレベルに応じた点滅回数で点滅してもよく、あるいは、放送用信号の入出力のレベルに応じた長さで点滅してもよい。
【０１２６】
また、上記実施の形態３では、第２の信号レベル調整装置２０１は、第３の表示部２３４と、第４の表示部２３５と、第５の表示部２３７とを備えると説明したが、これに限られない。例えば、第５の表示部２３７を省略してもよい。この場合において、例えば、第３の表示部２３４、又は第４の表示部２３５に、第２の検出部１３３の検出結果に関する情報が表示される（具体的には、第２の表示制御部２３６ａは、第３の表示部２３４によって、光電変換部２３０における放送用信号の出力レベルが閾値以上である旨（又は、閾値以上でない旨）を表示させた後、電光変換部１３１における放送用信号の入力レベルが閾値以上である旨（又は、閾値以上でない旨）を表示させる）。
あるいは、第２の信号レベル調整装置２０１は、さらに、第１の検出部１３２の検出結果に関する情報を表示する第６の表示部を備えてもよい。この場合において、第１の検出部１３２は、当該第１の検出部１３２にて検出された波形整形部１３０ａにおける放送用信号の入力レベルに対応する情報を、第１の制御部１３６に出力すると共に、電光変換部１３１にも出力する。そして、この第１の検出部１３２にて検出された波形整形部１３０ａにおける放送用信号の入力レベルに対応する情報を含む信号は、第２の検出部１３３から出力された電光変換部１３１における放送用信号の入力レベルに対応する情報を含む信号と同様に、電光変換部１３１から第２の信号レベル調整装置２０１に送信された後、光電変換部２３０を介して第２の制御部２３６に出力される。
【０１２７】
（光伝送線路について）
上記実施の形態２、３では、第２の検出部１３３から出力された電光変換部１３１における放送用信号の入力レベルに対応する情報を含む信号は、第２の光ファイバ１３１ｂを介して第２の信号レベル調整装置２０１に向けて送信されると説明したが、例えば、この信号は、光ファイバ１３１ａ（又は第１の光ファイバ１３１ａ）を介して第２の信号レベル調整装置２０１に向けて波長多重して送信されてもよい。
【０１２８】
（処理について）
上記実施の形態１〜３では、表示制御部３５ａは、各検出部にて検出された放送用信号の入出力のレベルが閾値以上であるか否かを判定すると説明したが、これに限られない。例えば、ＳＡ４の処理において、表示制御部３５ａは、各検出部にて検出された放送用信号の入出力のレベルの範囲が所定範囲に属するか否かを判定してもよい。この場合において、表示制御部３５ａは、放送用信号の入出力のレベルの範囲に応じた色で点灯又は点滅させてもよい。具体的には、実施の形態１では、第１の検出部３１にて検出された放送用信号の入力レベルの範囲が閾値の０％以上±１０％未満の範囲である場合に、表示制御部３５ａは、第１の表示部３３を「緑色」に点灯又は点滅させる。また、第１の検出部３１にて検出された放送用信号の入力レベルの範囲が閾値の±１０％以上±２０％未満の範囲以内である場合に、表示制御部３５ａは、第１の表示部３３を「オレンジ色」に点灯又は点滅させる。また、第１の検出部３１にて検出された放送用信号の入力レベルの範囲が閾値の±２０％以上±５０％未満の範囲以内である場合に、表示制御部３５ａは、第１の表示部３３を「赤色」に点灯又は点滅させる（なお、実施の形態２、３についても同様とする）。
【符号の説明】
【０１２９】
１  信号レベル調整装置
１０、１１０、２１０  筐体
１１、１１１、２１１  ベース部
１１ａ、１１ｂ、１１ｃ、１１ｄ、１１１ａ、１１１ｂ、１１１ｃ、１１１ｄ、２１１ａ、２１１ｂ、２１１ｃ、２１１ｄ  開口
１２、１１２、２１２  カバー部
２０、１２０  受信アンテナ
２０ａ、２１ａ、１２０ａ、２２０ａ  同軸ケーブル
２１、２２０  送信アンテナ
２５、１２５、２２５  ワイヤ
３０  信号レベル調整部
３０ａ、１３０ａ  波形整形部
３０ｂ、２３１ａ  増幅部
３１、１３２  第１の検出部
３２、１３３  第２の検出部
３３、１３４  第１の表示部
３４、１３５  第２の表示部
３５  制御部
３５ａ  表示制御部
１００  信号レベル調整システム
１０１  第１の信号レベル調整装置
１３０  第１の信号レベル調整部
１３１  電光変換部
１３１ａ  光ファイバ（又は、第１の光ファイバ）
１３１ｂ  第２の光ファイバ
１３６  第１の制御部
１３６ａ  第１の表示制御部
２０１  第２の信号レベル調整装置
２３０  光電変換部
２３１  第２の信号レベル調整部
２３２  第３の検出部
２３３  第４の検出部
２３４  第３の表示部
２３５  第４の表示部
２３６  第２の制御部
２３６ａ  第２の表示制御部
２３７  第５の表示部
【図１】
2014039230.tif 000003
【図２】
2014039230.tif 000004
【図３】
2014039230.tif 000005
【図４】
2014039230.tif 000006
【図５】
2014039230.tif 000007
【図６】
2014039230.tif 000008
【図７】
2014039230.tif 000009
【図８】
2014039230.tif 000010
【図９】
2014039230.tif 000011
【図１０】
2014039230.tif 000012
【図１１】
2014039230.tif 000013